(57)【要約】【課題】  スポークタイムを小さくすることができるカラーホイール装置を提供する。【解決手段】  カラーホイール装置１００は、Ｒ、Ｇ、Ｂのカラーフィルターおよびカラーフィルターの間に形成された第１の透明領域１１２、１１４、１１６を含む第１のフィルター１１０と、Ｒ、Ｇ、Ｂのカラーフィルターおよびカラーフィルターの間に形成された第２の透明領域１２２、１２４、１２６を含む第２のフィルター１２０と、第１および第２のフィルター異なる方向に同期して回転させるモータ駆動回路１５０とを有する。第１および第２のフィルター１１０、１２０は、少なくとも一部が重複するように配置され、第１のフィルター１１０に入射した光は、第２のフィルター１２０から出射される。【選択図】    図１
2007101791.tif 000002
【特許請求の範囲】
【請求項１】
波長の異なる光を透過する複数のカラーフィルター、および複数のカラーフィルターのうち少なくとも１つの隣接するカラーフィルターの間に形成された第１の透明領域を含む第１のフィルターと、
波長の異なる光を透過する複数のカラーフィルター、および複数のカラーフィルターのうち少なくとも１つの隣接するカラーフィルターの間に形成された第２の透明領域を含む第２のフィルターと、
第１のフィルターと第２のフィルターを逆方向に回転させ、かつ第１のフィルターの第１の透明領域と第２のフィルターの第２の透明領域とを同期させる回転手段とを有し、
第１のフィルターと第２のフィルターは、少なくとも一部が重複するように配置され、第１のフィルターに入射した光は、第１のフィルターを透過して第２のフィルターに入射され、第２のフィルターに入射した光は、第２のフィルターを透過して出射される、
カラーホイール装置。
【請求項２】
第１および第２の透明領域の円周方向の幅は、第１および第２のフィルターの入射領域における入射光の口径の約半分である、請求項１に記載のカラーホイール装置。
【請求項３】
第１の透明領域は、第１のフィルターの複数のカラーフィルターの間に複数形成され、第２の透明領域は、第２のフィルターの複数のカラーフィルターの間に複数形成されている、請求項１または２に記載のカラーホイール装置。
【請求項４】
第１および第２のフィルターの複数のカラーフィルターは、第１および第２のフィルター回転軸に関して回転対称に配置されている、請求項１ないし３いずれか１つに記載のカラーホイール装置。
【請求項５】
第１の透明領域の円周方向の幅は、第１のフィルターの入射領域における入射光の口径の約半分であり、第２の透明領域の円周方向の幅は、第２のフィルターの入射領域における入射光の口径の約半分であり、かつ、第２の透明領域と隣接するカラーフィルターの円周方向の幅は、前記入射光の口径以上である、請求項１に記載のカラーホイール装置。
【請求項６】
回転手段は、入射領域において第１、第２の透明領域が重複するように第１、第２のフィルターの回転を制御する、請求項１ないし５いずれか１つに記載のカラーホイール装置。
【請求項７】
請求項１ないし６いずれか１つに記載のカラーホイール装置と、カラーホイール装置へ光を投射する光源と、カラーホイール装置から出射された光を変調する反射型表示素子と、変調された光を投影する投影レンズとを有するプロジェクタ。
【請求項８】
反射型表示素子は、第１の角度または第２の角度のいずれかに選択的に駆動されるアレイ状に配列された複数のミラーを含み、各ミラーは、カラーホイール装置のスポークタイムと同期して駆動される、請求項６に記載のプロジェクタ。
【発明の詳細な説明】
【技術分野】
【０００１】
本発明は、プロジェクタ等の画像形成装置において用いられるカラーホイール装置に関し、特に、複数のフィルターを用いてスポークタイムを削減するカラーホイール装置に関する。
【０００２】
テレビやＤＶＤなどの映像を投影する前面投射型または背面投射型のプロジェクタが実用化されている。プロジェクタは、画像データを空間的に変調する変調素子として、液晶やＤＭＤ（Digital Micro-mirror Device）を用いている。ＤＭＤは、２次元的に配列した各ピクセルが微小なミラーから構成され、各ピクセルの直下に配置されたメモリ素子による静電界作用によってミラーの傾きを制御し、反射光の反射角度を変化させることで、オン／オフ状態を作る反射形表示素子である。ピクセルがオフ状態では、ミラーによる反射光（以下、オフ光という）が投影レンズに入射せず、ピクセルがオン状態では、ミラーによる反射光（以下、オン光という）が投影レンズに入射し、スクリーンに画像を形成するように光学系部品が配置されている。
【０００３】
ＤＭＤを利用したプロジェクタは、例えば特許文献１に開示されるように、光源からの光を回転するカラーホイール装置に投射し、カラーホイール装置により分離されたＲ（赤）、Ｇ（緑）、Ｂ（青）の３原色の光を順次ＤＭＤに照明し、ＤＭＤで反射された光を投影レンズを介してスクリーン上に映し出している。
【０００４】
【特許文献１】特開２００４−２９４９８５号
【発明の開示】
【発明が解決しようとする課題】
【０００５】
図１０は、光源とカラーホイール装置との関係を示す図、図１１は、カラーフィルターと入射光の関係を示す図である。光源１０は、放電ランプ１２とリフレクター１４を有し、放電ランプ１２によって発生された光は、リフレクター１４によって光軸方向に反射される。カラーホイール装置２０は、円盤状のフィルター２２と、フィルター２２を一定速度で回転させるモータ２４を有し、フィルター２２は、赤（Ｒ）、緑（Ｇ）、青（Ｂ）の波長の光を透過するカラーフィルターを含んでいる。光源１０からの入射光Ｌは、円形状の収束されたスポット光であり、入射光Ｌは、フィルター２２に略垂直に入射される。フィルター２２の回転に同期して、フィルター２２からＲ、Ｇ、Ｂの波長の光が出射される。出射されたＲ、Ｇ、Ｂの光は、ＤＭＤを照明し、そこで光変調される。
【０００６】
ところで、カラーホール装置により入射光からＲ、Ｇ、Ｂの波長を選択する場合、一定の期間、画像の投影に使用できない期間が生じる。この期間は、いわゆるスポークタイムと呼ばれ、フィルター２２のカラーフィルターの境界において生じる。光源１０からの入射光Ｌは、一定の口径を有しているため、入射光Ｌがカラーフィルターの境界に差し掛かかったとき、出射される光が単一の波長ではなく、２つの波長が混在してしまう。例えば、図１１（ｂ）に示すように、入射光ＬがＲのカラーフィルターからＢのカラーフィルターに遷移するとき、Ｒの波長とＢの波長の光が透過されてしまう。
【０００７】
図１２は、ＲとＢのカラーフィルターの間のスポークタイムＳＴを示している。ＲとＢのカラーフィルターの境界３０が、入射光Ｌの口径（入射領域）に突入し、境界３０が口径（入射領域）から脱出するための期間がスポークタイムＳＴである。ＲとＢのカラーフィルターの境界以外の、ＲとＧのカラーフィルターの境界、およびＧとＢのカラーフィルターの境界でも、同様のスポークタイムＳＴが生じる。
【０００８】
ＤＭＤは、Ｒ、Ｇ、Ｂの波長に同期したタイミングで、各ミラーを駆動しているが、スポークタイムＳＴの期間には、各ミラーによる反射光が投影レンズに入射されないようにしている。すなわち、複数の波長が混在しているので、スポークタイムＳＴにおいて各ミラーによる反射光はオフ光となる。このため、スポークタイムが長くなると、その分、投影される画像の解像度や明るさが低下したり、画像にチラツキが生じ、投影画像の品位が低下してしまう。一方、カラーホイールを高速で回転させれば、スポークタイムＳＴを小さくすることができるが、カラーホイールの回転と同期してＤＭＤを駆動しなければならないため、ＤＭＤの駆動周波数以上にカラーホイールを高速で回転させることはできない。また、入射光Ｌの口径を極力小さくすることも可能ではあるが、そのためには、カラーホイール装置の位置決め精度を良く行わなければならない。さらに、入射光の口径が極端に小さくなると、入射光Ｌの照射部分における局所的な発熱が大きくなってしまい、フィルターにとって好ましいことではない。
【０００９】
本発明は、上記従来の課題を解決し、スポークタイムを小さくすることができるカラーホイール装置を提供することを目的とする。
さらに本発明は、スポークタイムの小さなカラーホイール装置を用いて高品位の画像を投影することができるプロジェクタを提供することを目的とする。
【課題を解決するための手段】
【００１０】
本発明に係るカラーホイール装置は、波長の異なる光を透過する複数のカラーフィルター、および複数のカラーフィルターのうち少なくとも１つの隣接するカラーフィルターの間に第１の透明領域を含む第１のフィルターと、波長の異なる光を透過する複数のカラーフィルター、および複数のカラーフィルターのうち少なくとも１つの隣接するカラーフィルターの間に第２の透明領域を含む第２のフィルターと、第１のフィルターと第２のフィルターを逆方向に回転させ、かつ第１のフィルターの第１の透明領域と第２のフィルターの第２の透明領域とを同期させる回転手段とを有する。第１のフィルターと第２のフィルターは、少なくとも一部が重複するように配置され、第１のフィルターに入射した光は、第１のフィルターを透過して第２のフィルターに入射され、第２のフィルターに入射した光は、第２のフィルターを透過して出射される。
【００１１】
好ましくは、第１および第２の透明領域の円周方向の幅（円弧長）は、第１および第２のフィルターの入射領域における入射光の口径の約半分である。また、第１の透明領域は、第１のフィルターのカラーフィルターの間に複数設けられ、第２の透明領域は、第２のフィルターのカラーフィルターの間に複数設けられていてもよい。さらに、第１および第２のフィルターの複数のカラーフィルターは、それぞれ第１および第２のフィルター回転軸に関して回転対称に配置されている。例えば、Ｒ、Ｇ、Ｂのカラーフィルターが配置されるとき、１つのカラーフィルターと１つの透明領域を含む領域の内角がそれぞれ１２０度となるように配置される。また、Ｒ、Ｇ、Ｂのカラーフィルターが４つ配置されるとき、１つのカラーフィルターと１つの透明領域を含む領域の内角がそれぞれ９０度となるように配置される。さらに好ましくは、第１のフィルターと第２のフィルターの位相が調整され、入射領域で第１の透明領域と第２の透明領域が重複するように第１、第２のフィルターが回転される。
【００１２】
さらに、第１の透明領域の円周方向の幅は、第１のフィルターの入射領域における入射光の口径の約半分であり、第２の透明領域の円周方向の幅は、第２のフィルターの入射領域における入射光の口径の約半分であり、かつ、第２の透明領域と隣接するカラーフィルターの入射領域における円周方向の幅は、前記入射光の口径以上であるようにしてもよい。
【００１３】
本発明に係るプロジェクタは、上記の特徴を備えたカラーホイール装置と、カラーホイール装置へ光を入射する光源と、カラーホイール装置から出射された光を変調する反射型表示素子と、変調された光を投影する投影レンズとを有するプロジェクタ。プロジェクタは、前面投射型、背面投射型のいずれであってもよい。
【発明の効果】
【００１４】
本発明によれば、カラーホイール装置を構成する第１および第２のフィルターに、隣接するカラーフィルターの間にそれぞれ第１および第２の透明領域を設け、第１および第２のフィルターを異なる方向に回転させ、第１および第２の透明領域を同期させることで、カラーフィルターが切り替わるときに生じるスポークタイムを、従来のカラーホイール装置よりも小さくすることができる。これにより、本発明のカラーホイール装置を用いたプロジェクタでは、高品位の投影画像を得ることができる。
【発明を実施するための最良の形態】
【００１５】
以下、本発明に係るプロジェクタの好ましい構成を図面を参照して詳細に説明する。
【実施例】
【００１６】
図１は、本発明の第１の実施例に係るカラーホイール装置の構成を示す図である。カラーホイール装置１００は、第１のフィルター１１０、第２のフィルター１２０、第１のフィルター１１０を回転させる第１のモータ１３０、第２のフィルター１２０を回転させる第２のモータ１４０、第１および第２のモータの駆動を制御するモータ駆動回路１５０を含んで構成される。
【００１７】
第１、第２のフィルター１１０、１２０は、図１(ｂ)に示すように、それぞれ円盤状のガラス基板に赤（Ｒ）、緑（Ｇ）、青（Ｂ）の波長を透過するカラーフィルターを配列し、そのカラーフィルターの間に第１の透明領域１１２、１１４、１１６、第２の透明領域１２２、１２４、１２６を形成している。第１、第２のフィルター１１０、１２０の中央には開口１１８、１２８が形成され、開口１１８、１２８には、第１、第２のモータ１３０、１４０の回転軸が結合される。
【００１８】
Ｒ、Ｇ、Ｂのカラーフィルターは、例えば、ガラス基板へフィルターを構成する材料を蒸着することによって形成することができる。また、蒸着以外にも、Ｒ、Ｇ、Ｂをそれぞれ透過する複数のガラス部材やプラスチック部材を接合することにより形成することも可能である。
【００１９】
第１のフィルター１１０の外径と第２のフィルター１２０の外径は等しく、第１のフィルター１１０に形成されるＲ、Ｇ、Ｂのカラーフィルターの面積は、第２のフィルター１２０のそれらの面積と同一である。第１のフィルター１１０のカラーフィルターの間に形成された第１の透明領域１１２〜１１６は、第２のフィルター１２０のカラーフィルターの間に形成された第２の透明領域１２２〜１２６と同一面積を有している。本実施例では、１つのカラーフィルターと１つの透明領域を加えた面積の内角は１２０度である。第１の透明領域１１２〜１１６と、第２の透明領域１２２〜１２６は、例えば、ガラス基板上へカラーフィルターを蒸着するときに透明領域をマスクし、ガラス基板を露出させるようにして形成される。あるいは、第１、第２の透明領域は、ガラス基板にスリット等の切欠きを形成するようにしてもよい。
【００２０】
図２は、１つ透明領域１１２を例示する図である。透明領域１１２は、第１のフィルター１１０の回転中心Ｏから半径方向に延びる円弧状の領域である。第１のフィルター１１０の半径をＲ、透明領域１１２の内角をθとしたとき、透明領域１１２の円弧長Ｄは、おおよそＤ＝Ｒθである。
【００２１】
好ましくは、内角θは、第１、第２のフィルターに入射される入射光の口径の約半分となるように設定される。図３に示すように、光源から投射される入射光Ｌが直径Ｓの円形状のスポット光であり、入射光Ｌの中心がフィルターの半径Ｒ１の位置に入射されるとする。半径Ｒ１の位置において、透明領域１１２の円弧長は、入射光Ｌの口径の約半分となるように内角θが調整される。つまり、半径Ｒ１の位置における透明領域１１２の円弧長Ｄ１が、Ｄ１＝１／２×Ｓとなるように、内角θが調整される。他の透明領域１１４、１１６、および第２のフィルターの透明領域１２２〜１２６についても同様である。また、光源とカラーホイール装置の間にライトトンネルや光インテグレータを介在させ、入射光を矩形状とした場合には、その対角線の長さを入射光の口径とする。
【００２２】
第１および第２のフィルター１１０、１２０は、図１(ａ)に示すように、互いに対向するように配置され、それぞれの開口１１８、１２８に、第１および第２のモータ１３０、１４０の回転軸が結合される。第１、第２のモータ１３０、１４０は、好ましくはステッピングモータによって構成され、モータ駆動回路１５０からの駆動パルス信号に応じて、それぞれ異なる方向に同速度で回転される。第１のフィルター１１０が順方向に１回転したとき、第２のフィルター１２０が逆方向に１回転する。第１のフィルター１１０と第２のフィルター１２０の位相を一致させておけば、例えば、第１のフィルター１１０の赤のカラーフィルターと第２のフィルター１２０の赤のカラーフィルターを重複するように整合させておけば、第１、第２のフィルターの回転に伴い、第１のフィルターの透明領域１１６と第２のフィルターの透明領域１２２とが重複し、次に、緑のカラーフィルターが重複し、そして、１回転の終了時に、第１の透明領域１１２と第２の透明領域１２６が重複する。
【００２３】
好ましくは、図１(ａ)に示すように、第１、第２のフィルター１１０、１２０の基準位置を検出する位置検出センサ１６０を設け、位置検出センサ１６０からの検出信号を、第１、第２のフィルター１１０、１２０の位相の調整や同期の制御に利用するようにしても良い。位置検出センサ１６０は、例えば、第１、第２のフィルターが１回転する毎に１つのパルス信号を生成するようなものであってもよい。
【００２４】
次に、本実施例のカラーホイール装置のスポークタイムについて説明する。図４に示すように、光源１０からの光は、順方向に回転する第１のフィルター１１０の半径Ｒ１の位置にほぼ垂直に入射し、第１のフィルター１１０を透過した光はさらに、順方向と異なる逆方向に回転する第２のフィルター１２０に入射し、そこから出射するものとする。つまり、光源１０からの入射光Ｌは、第１および第２のフィルターのカラーフィルターの合成により波長が選択され、出射光となる。また、モータ駆動回路１５０は、第１のフィルター１１０の透明領域１１２と第２のフィルター１２０の透明領域１２６が１回転毎に入射光Ｌの入射領域において重複するように、第１、第２のフィルター１１０、１２０の同期制御を行う。
【００２５】
図５は、第１、第２のフィルターのカラーフィルターの合成の遷移を示している。説明を分かり易くするため、第１および第２のフィルターの回転を、左右の直線方向の移動で表し、光源から入射する入射光の口径を入射領域Ｈで表している。上から順に、第１のフィルター１１０、第２のフィルター１２０、第１のフィルターと第２のフィルターの合成波長Ｗを示している。縦方向のハッチングは、赤のカラーフィルターまたは波長、斜め方向のハッチングは、緑のカラーフィルターまたは波長を表している。
【００２６】
図５に示す時刻Ｔ１（左上の状態）では、第１のフィルター１１０の赤のカラーフィルターが入射領域Ｈ内に完全に位置し、同じく、第２のフィルター１２０の赤のカラーフィルターが入射領域Ｈ内に完全に位置している。従って、入射領域Ｈにおける合成波長Ｗは、赤のみとなり、カラーホイール装置からは赤の波長が出射される。
【００２７】
時刻Ｔ２では、第１および第２のフィルター１１０、１２０の回転により、赤のカラーフィルターに隣接する第１の透明領域１１６と第２の透明領域１２２の先頭が入射領域Ｈ内に侵入する。このとき、第１および第２の透明領域１１６、１２２は、それぞれ赤のカラーホイールと合成されるため、入射領域Ｈにおける合成波長Ｗは、赤である。
【００２８】
図５の時刻Ｔ３では、第１および第２の透明領域１１６、１２２が進行するが、透明領域１１６、１２２は、入射領域Ｈの中心より手前である。このため、入射領域Ｈにおける合成波長Ｗは、まだ赤である。
【００２９】
時刻Ｔ４では、赤のカラーフィルターと第１、第２の透明領域１１６、１２２が入射領域Ｈのちょうど半分の位置にある。この状態までは、合成波長Ｗは、赤である。
【００３０】
時刻Ｔ５では、第１および第２のフィルターの赤のカラーフィルターの終端が入射領域Ｈの中心を越え、第１、第２の透明領域１１６、１２２を介して、次の緑（Ｇ）のカラーフィルターの始端が入射領域Ｈに侵入する。このとき、入射領域Ｈの合成波長Ｗは、赤と緑の合成された波長（図中、黒で表示）、赤の波長、白色（光源から投射された入射光の波長）を混在する。
【００３１】
時刻Ｔ６では、さらに回転が進み、第１の透明領域１１６と第２の透明領域１２２が入射領域Ｈにおいて一致している。合成波長Ｗは、赤と緑の合成された波長と白色を混在する。
【００３２】
時刻Ｔ７では、第１および第２のフィルター１１０、１２０の緑のカラーフィルターの始端が入射領域Ｈの中心半分に位置する。緑のカラーフィルターは、第１、第２の透明領域１１６、１２２と合成されるため、入射領域Ｈの合成波長Ｗは、緑の波長となる。
【００３３】
時刻Ｔ８では、第１および第２のフィルター１１０、１２０の回転が進み、緑のカラーフィルターの始端が入射領域Ｈの中心を越え、緑のカラーフィルターの入射領域Ｈを占める割合が５０％を超える。入射領域Ｈにおける波長合成Ｗは、緑のみとなる。
【００３４】
図５に示す例では、波長が混在する時刻Ｔ５〜Ｔ６がスポークタイムとなり、この間、カラーホイール装置からの光を利用することができない。一方、従来のカラーホイール装置では、単一のフィルターを用いるため、入射領域Ｈに、複数のカラーフィルターが存在する期間がスポークタイムとなる。仮に、図５において、第２のフィルター１２０がないものを想定すれば、赤のカラーフィルターの終端が入射領域Ｈ内に突入を開始する時刻Ｔ２から、赤のカラーフィルターの終端が入射領域Ｈから脱出する時刻Ｔ７までの間がスポークタイムとなる。このように本実施例では、２つのフィルターを異なる方向に回転させ、カラーフィルターの間に透明領域を介在させることで、スポークタイムを半減させることができる。
【００３５】
図６は、カラーホイール装置に用いられる他のフィルターの例を示す図である。先の実施例では、１つのカラーフィルターと１つの透明領域を加えた領域の内角を１２０度としたが、図６に示すように、第１および第２のフィルター２１０、２２０に、４つカラーフィルターをＲ、Ｇ、Ｒ、Ｂと配列し、それらの間に、第１の透明領域２１２、２１４、２１６、２１８と、第２の透明領域２２２、２２４、２２６、２２８を形成するようにしてもよい。この場合、１つのカラーフィルターと１つの透明領域を加えた領域の内角を９０度とする。これにより、第１および第２のフィルターを同期して逆方向に回転駆動すれば、スポークタイムを半減させることができる。なお、カラーフィルターの配列は、上記に限定されることなく、フィルターの中心に関して回転対称にするものであればよい。
【００３６】
次に、本発明の第２の実施例に係るカラーホイール装置について説明する。図７は、カラーホイール装置に用いられる第１および第２のフィルターの構成を示す図である。第１のフィルター１１０は、第１の実施例の第１のフィルターと同様に、Ｒ、Ｇ、Ｂのカラーフィルターの間に、入射光の口径の約半分の円弧長を有する第１の透明領域１１２、１１４、１１６を有している。
【００３７】
一方、第２のフィルター３００は、２つの赤のカラーフィルター３１０、３１２と、２つの緑のカラーフィルター３２０、３２２と、２つの青のカラーフィルター３３０、３３２と、赤のカラーフィルター３１０と青のカラーフィルター３３２の間の透明領域３０２と、赤のカラーフィルター３１２と緑のカラーフィルター３２０の間の透明領域３０４と、緑のカラーフィルター３２２と青のカラーフィルター３３０の間の透明領域３０６と、赤のカラーフィルター３１０、３１２の間の透明領域３４０と、緑のカラーフィルター３２０、３２２の間の透明領域３４２と、青のカラーフィルター３３０、３３２の間の透明領域３４４とを有している。
【００３８】
透明領域３０２、３０４、３０６は、入射光の口径の約半分の円弧長を有している。カラーフィルター３１０、３１２、３２０、３２２、３３０、３３２は、入射光の口径以上の円弧長を有している。
【００３９】
第１および第２のフィルター１１０、３００を異なる方向に同期して回転させることで、第１の実施例のときと同様に、スポークタイムを半減させることができる。また、第２の実施例では、第２のフィルター３００が多くの透明領域３４０、３４２、３４４を有することで、第１および第２のフィルターが合成されたときの光の損失を第１の実施例のときよりも軽減することができる、
【００４０】
図８は、第１、第２のフィルターの他の配置例を示す図である。同図に示すように、第１のフィルター１１０と第２のフィルター１２０は、必ずしも同軸上になく、その一部が重複するように配置され、その重複部分に光源からの入射光Ｌがほぼ垂直に入射されるようにしてもよい。また、第１、第２のフィルター１１０、１２０は、第１、第２のモータ１３０、１４０により駆動する例を示したが、これに限らず、単一のモータにより第１、第２のフィルターを駆動するようにしてもよい。その場合、例えば、歯車ギヤ等を用いて第１、第２のフィルターを異なる方向に同期するように回転させる。
【００４１】
次に、本発明のカラーホイール装置をプロジェクタに適用したときの光学系を図９に示す。同図に示すように、ランプ１０から発せられた光は、カラーホイール装置１００に入射される。カラーホイール装置１００から出射された光は、ライトトンネル４１０（または光インテグレータ）に入射され、そこでほぼ均一な照度の光線束となって出射される。ライトトンネル４１０から出射された光は、リレーレンズ系４２０、第１、第２の折返しミラー４３０、４４０を介してＤＭＤ４５０を照明する。ＤＭＤ４５０の各ミラーは、カラーホイール装置１００のスポークタイムまたはカラーフィルターと同期して駆動され、各ミラーによって反射されたＲ、Ｇ、Ｂ光は、投影レンズ４６０によって拡大され、スクリーン上に映し出される。
【００４２】
従来のカラーホイール装置と比較して、スポークタイムが半減されるため、光源１０の光利用効率が改善され、明るく、鮮明な画像を投影することが可能となる。なお、上記構成では、ライトトンネル４２０をカラーホイール装置の後方に配置したが、光源１０とカラーホイール装置１００の間に配置させてもよい。
【００４３】
以上、本発明の好ましい実施の形態について詳述したが、本発明は係る特定の実施形態に限定されるものではなく、特許請求の範囲に記載された本発明の要旨の範囲内において、種々の変形、変更が可能である。
【産業上の利用可能性】
【００４４】
本発明に係るカラーホイール装置は、テレビ、ＤＶＤ等の映像を投影するためのプロジェクタ等において利用される。
【図面の簡単な説明】
【００４５】
【図１】本発明の第１の実施例に係るカラーホイール装置の構成を示す図である。
【図２】フィルター部の透明領域を説明する図である。
【図３】フィルター部に入射される入射光の口径と透明領域の大きさの関係を説明する図である。
【図４】本実施例のカラーホイール装置の使用例を示す図である。
【図５】本実施例のカラーホイール装置の動作を説明する図である。
【図６】カラーホイール装置の他のカラーフィルターの例を示す図である。
【図７】本発明の第２の実施例に係るカラーホイール装置を示す図である。
【図８】第１、第２のフィルターの他の配置例を示す図である。
【図９】本発明に係るカラーホイール装置を用いたプロジェクタの構成を示す図である。
【図１０】従来のカラーホイール装置を示す図である。
【図１１】従来のカラーホイール装置の動作を示す図である。
【図１２】従来のカラーホイール装置のスポークタイムを説明する図である。
【符号の説明】
【００４６】
１００：カラーホイール装置
１１０，２１０：第１のフィルター
１１２、１１４、１１６：第１の透明領域
１１８：開口
１２０、２２０：第２のフィルター
１２２、１２４、１２６：第２の透明領域
１２８：開口
１３０：第１のモータ
１４０：第２のモータ
１５０：モータ駆動回路
１６０：位置検出センサ
【図１】
2007101791.tif 000003
【図２】
2007101791.tif 000004
【図３】
2007101791.tif 000005
【図４】
2007101791.tif 000006
【図５】
2007101791.tif 000007
【図６】
2007101791.tif 000008
【図７】
2007101791.tif 000009
【図８】
2007101791.tif 000010
【図９】
2007101791.tif 000011
【図１０】
2007101791.tif 000012
【図１１】
2007101791.tif 000013
【図１２】
2007101791.tif 000014